(57)【要約】【課題】  ダンボール板により作られる間仕切り兼敷物であって、平時は間仕切りとして使用し、また非常時には咄嗟に敷物に転用できるようにした。【解決手段】  ダンボール板Ｐの長手方向に間隔をあけて交互に折れ方向が逆向きの複数の折目４を平行に設け、それらの折目４に沿ってダンボール板Ｐをジグザグ状の折曲すると間仕切りＡとなり、また折目４を伸展すると敷物Ｂとなる。【選択図】図３
0003138551.tif 000002
【実用新案登録請求の範囲】
【請求項１】
長方形に裁断されるダンボール板（Ｐ）に、その長手方向に間隔をあけて交互に折れ方向が逆向きの複数の折目（４）を平行に設け、それらの折目（４）に沿って前記ダンボール板（Ｐ）をジグザグ状に折曲することにより間仕切り（Ａ）とし、また前記折目（４）を伸展することにより平坦な敷物（Ｂ）とすることを特徴とする、間仕切り兼敷物。
【請求項２】
前記ダンボール板（Ｐ）は、前記複数の折目（４）に沿って層状に折畳み格納できるようにしたことを特徴とする、前記請求項１記載の間仕切り兼敷物。
【請求項３】
前記ダンボール板（Ｐ）は、断面ハニカム構造の複数のダンボール単板（Ｐ１，Ｐ２，Ｐ３）を貼り合わせて構成されており、複数のダンボール単板（Ｐ１，Ｐ２，Ｐ３）は、それらのハニカムのストライプ（Ｓ１，Ｓ２，Ｓ３）が交叉されていることを特徴とする、前記請求項１または２記載の間仕切り兼敷物。
【請求項４】
前記ダンボール板（Ｐ）には、防炎剤もしくは防燃剤（５）を含浸させてなることを特徴とする、前記請求項１，２もしくは３記載の間仕切り兼敷物。
【請求項５】
前記ダンボール板（Ｐ）の外面には、防炎剤もしくは防燃剤（５）を塗布してなることを特徴とする、前記請求項１，２もしくは３記載の間仕切り兼敷物。
【考案の詳細な説明】
【技術分野】
【０００１】
本考案は、ダンボール板を主体とする間仕切り兼敷物に関する。
【背景技術】
【０００２】
従来、断面ハニカム構造のダンボール板は、ダンボール箱などの梱包箱に使用されるのが一般的である（後記特許文献１参照）。
【特許文献１】特開平６−１３７７号公報
【考案の開示】
【考案が解決しようとする課題】
【０００３】
ところで、このような従来のハニカム構造のダンボール板は、軽量で取り扱い易く、携帯に便利であり、しかも強度が高く、緩衝性、衝撃吸収性に優れており、その上廉価であることから、梱包箱の外に、他の用途にも広く利用できることが考えられる。
【０００４】
そこで、本考案は、平時には、ダンボール板を間仕切りとして使用でき、災害などの非常時には、この間仕切りを咄嗟にマットなどの敷物に転用することができ、しかも不使用時にはコンパクトに格納しておくことができるようにした、間仕切り兼敷物を提供することを目的とする。
【課題を解決するための手段】
【０００５】
前記目的を達成するために、請求項１記載の考案は、長方形に裁断されるダンボール板に、その長手方向に間隔をあけて交互に折れ方向が逆向きの複数の折目を平行に設け、それらの折目に沿って前記ダンボール板をジグザグ状の折曲することにより間仕切りとし、また前記折目を伸展することにより平坦な敷物とすることを特徴としている。
【０００６】
また、前記目的を達成するために、請求項２記載の考案は、請求項１記載のものにおいて、前記ダンボール板は、前記複数の折目に沿って層状に折畳み格納できるようにしたことを特徴としている。
【０００７】
さらに、前記目的を達成するために、請求項３記載の考案は、前記請求項１または２記載のものにおいて、前記ダンボール板は、断面ハニカム構造の複数のダンボール単板を貼り合わせて構成されており、複数のダンボール単板は、それらのハニカムのストライプが交叉されていることを特徴としている。
【０００８】
さらに、前記目的達成のため、請求項４記載の考案は、前記請求項１，２または３記載のものにおいて、前記ダンボール板には、防炎剤もしくは防燃剤を含浸させてなることを特徴としている。
【０００９】
さらに、前記目的達成のため、請求項５記載の考案は、前記請求項１，２または３記載のものにおいて、前記ダンボール板の外面には、防炎剤もしくは防燃剤を塗布してなることを特徴としている。
【考案の効果】
【００１０】
請求項各項記載の考案によれば、ダンボール板をジグザグ状に折曲することにより間仕切りとして使用し、また前記折目を伸展することによりマットなどの敷物として転用することができ、しかも、その間仕切りは災害などの非常時に敷物への転用を咄嗟に行なうことができてきわめて便利である。
【００１１】
請求項２記載の考案によれば、間仕切り兼敷物はコンパクトに板状に折り畳むことができ、保管のための占有スペースの小容量化が可能になる。
【００１２】
請求項３記載の発明によれば、間仕切りあるいは敷物の強度を高めることができる。
【００１３】
請求項４，５記載の考案によれば、間仕切りあるいは敷物を燃えにくくすることができる。
【考案を実施するための最良の形態】
【００１４】
本考案の実施の形態を、添付図面に例示した本考案の実施例に基づいて以下に具体的に説明する。
【００１５】
図１は、間仕切り兼敷物を間仕切りとしたときの斜視図、図２は、図１の２−２線に沿う拡大断面図、図３は、間仕切り兼敷物を敷物としたときの斜視図、図４は、図３の４−４線に沿う断面図、図５は、ダンボール板の分解斜視図、図６は、間仕切り兼敷物を折畳み格納したときの斜視図である。
【００１６】
本考案にかかる間仕切り兼敷物は、第１、第２および第３の３枚のダンボール単板Ｐ１，Ｐ２およびＰ３を貼り合わせてなるダンボール板Ｐを長方形に裁断して作られる。各ダンボール単板Ｐ１，Ｐ２およびＰ３は、いずれも表裏２枚の平板１，２の間に、波形に折り曲げ形成した波板３を挟んで重ね合わせ、それらを一体に貼り合わせて断面ハニカム構造に形成されており、それらのダンボール単板Ｐ１，Ｐ２およびＰ３は、各波板３・・のストライプの方向がそれぞれ異なっている。すなわち、図５に示すように、第１（上方）のダンボール単板Ｐ１の波板３のストライプＳ１は一方向に傾斜して延び、第２（中間）のダンボール単板Ｐ２の波板３のストライプＳ２は上下方向に延び、さらに第３（下方）のダンボール単板Ｐ３の波板３のストライプＳ３は他方向に傾斜して延びている。したがって、第１、第２および第３の３枚のダンボール単板Ｐ１，Ｐ２およびＰ３を貼り合わて作られるダンボール板Ｐは、それら波板３・・のストライプＳ１，Ｓ２およびＳ３が交叉されており、その全面にわたり方向性のない剛性が得られ、曲げ力、押圧力、引張力などの外力に対して均等な強度が得られる。
【００１７】
ダンボール板Ｐは、長方形に裁断されて、間仕切り兼敷物の主体を構成しており、このダンボール板Ｐには、その長手方向に間隔をあけて複数条の折目４…が形成され、これらの折目４…は、折り曲げ方向が交互に逆方向となっており、図１に示すように、ダンボール板Ｐを複数の折目４…に沿ってジグザグ状に折り曲げることにより、屏風のような間仕切りＡとすることができる。また、図３に示すように、ダンボール板Ｐの複数の折目４…を真っ直ぐに伸展することにより、マットなどの敷物Ｂとすることができる。さらに、図６に示すように、ダンボール板を複数の折目に沿って板状に折り畳み格納することができる。
【００１８】
ダンボール板Ｐには、防燃剤もしくは防炎剤５を含浸させるか、あるいは図５に示すように、その表面に防燃剤もしくは防炎剤５を塗布することにより、燃えにくくすることができる。
【００１９】
間仕切り兼敷物は、その外面に模様などの装飾を施せば、その商品価値を高めることができる。
【００２０】
本考案にかかる間仕切り兼敷物は、平時には、複数の折目４…に沿ってジグザグ状に折り曲げて、部屋などの間仕切りＡとして使用し、また災害などの非常時には、避難場所などで複数の折目４…を伸展して平坦なマットなどの敷物Ｂとして転用することがき、このとき、間仕切り兼敷物は、ダンボール板Ｐにより形成されて、軽量で、携帯、搬送し易いので、咄嗟に敷物に転用ができてきわめて便利であり、またダンボール板Ｐは、クッション性が高く、しかも強度が高いので敷物として有効である。
【００２１】
また、間仕切り兼敷物の不使用時には、これを図６に示すように折目４…に沿ってコンパクトに板状に折り畳んで保管しておくことができ、広い保管スペースを必要としない。さらに使用済みの間仕切り兼敷物は、再生、焼却が簡単である。
【００２２】
なお、前記実施例では、第１、第２および第３のダンボール単板Ｐ１，Ｐ２，Ｐ３の波板３・・のストライプＳ１，Ｓ２，Ｓ３は斜めに交叉、すなわち、それらのストライプＳ１，Ｓ２，Ｓ３の交叉角は９０°よりも小さくされているが、それらのストライプＳ１，Ｓ２，Ｓ３を略直角に交叉させ、それらの交叉角を約９０°としてもよい。
【００２３】
以上、本考案の実施例について説明したが、本考案はその実施例に限定されることなく、本考案の範囲内で種々の実施例が可能である。
【００２４】
たとえば、前記実施例では、本考案にかかる間仕切り兼敷物のダンボール板を、第１、第２および第３の３枚のダンボール単体の貼り合わせにより構成した場合について説明したが、これを２枚あるいは４枚以上のダンボール単板の貼り合わせにより構成してもよい。                                                                              
【図面の簡単な説明】
【００２５】
【図１】間仕切り兼敷物を間仕切りとしたときの斜視図
【図２】図１の２−２線に沿う拡大断面図
【図３】間仕切り兼敷物を敷物としたときの斜視図
【図４】図３の４−４線に沿う断面図
【図５】ダンボール板の分解斜視図
【図６】間仕切り兼敷物を折畳み格納したときの斜視図
【符号の説明】
【００２６】
４・・・・・・・・・・折目
５・・・・・・・・・・防燃剤もしくは防炎剤
Ａ・・・・・・・・・・間仕切り
Ｂ・・・・・・・・・・敷物
Ｐ・・・・・・・・・・ダンボール板
Ｐ１，Ｐ２，Ｐ３・・・ダンボール単板
Ｓ１，Ｓ２，Ｓ３・・・ストライプ
【図１】
0003138551.tif 000003
【図２】
0003138551.tif 000004
【図３】
0003138551.tif 000005
【図４】
0003138551.tif 000006
【図５】
0003138551.tif 000007
【図６】
0003138551.tif 000008